(57)【要約】【課題】  ワンハンド操作でペーパーロールが方向性を考えずに投入抱持され、ペーパー端部の摘み代をもって任意量引張り出して切断することができ、切断した後には、次のペーパー端部を引張る摘み代が形成されるペーパーホルダーを得ることにある。【解決手段】  側端縁部に摺動突出するカッターを備えたホルダ本体と、該ホルダ本体内に昇降するペーパーロールを抱持するケースとでなり、ホルダ本体の側端縁部及びケースの端縁部の相互部位には、ペーパーロールのペーパー端部を挟持するロールが架設されて、該ロールで挟持したペーパーをカッターで切断し、切断した後、カッターが摺動引込むことによってペーパー端部が摘み代として形成されるワンハンド操作によるペーパーホルダーである。【選択図】図１
2008220899.tif 000002
【特許請求の範囲】
【請求項１】
側端縁部に摺動突出するカッターを備えたホルダ本体と、該ホルダ本体内に昇降するペーパーロールを抱持するケースとでなり、ホルダ本体の側端縁部及びケースの端縁部の相互部位には、ペーパーロールのペーパー端部を挟持するロールが架設されて、該ロールで挟持したペーパーをカッターで切断し、切断した後、カッターが摺動引込められることによって、ペーパー端部が摘み代として形成されることを特徴とするワンハンド操作によるペーパーホルダー。
【請求項２】
ホルダ本体には、側端縁部に摺動突出するカッターが備えられ、ペーパー端部の摘み代を引張ると、ペーパーを挟持しているロールが回転し、カッターを摺動突出し、ペーパーが切断されるとカッターを自動的に引込める自動摺動突出引込み機構が具備されることを特徴とする請求項１記載のワンハンド操作のペーパーホルダー。
【請求項３】
カッターは、回転支持アームと、該回転支持アームにヒンジ結合した刃部と、該刃部をホルダ本体の側端縁部より引込めるように働く回転支持アームに付設したスプリングとでなり、ペーパーの摘み代が引張られることによってロールを回転し、自動摺動突出引込み機構を介して、刃部がホルダ本体の側端縁部より突出し伸びて、ホルダ本体に設けられた突部に、刃部に形成した爪が係合し、ペーパーの切断で刃部がヒンジをして起こし上げられると、突部と爪との係合が外れると共に、刃部に設けた突起を側端縁部に係合し、ペーパーが切り離されると、スプリングの作用で刃部をホルダ本体の側端縁部より引込めることを特徴とする請求項１乃至２のいずれか１項に記載のワンハンド操作によるペーパーホルダー。
【請求項４】
自動摺動突出引込み機構は、ホルダ本体に架設のロールがペーパーの摘み代を引張ることによって回転され、この回転で駆動する、ギヤを介して設けられたクランク機構と、該クランク機構のクランク先端に形成されるカム機構とで構成し、該クランク機構によってカッターの回転支持アームが、それに設けられたピンのクランク先端との掛合でカッターをホルダ本体の側端縁部より摺動突出し、カム機構による回転支持アームに設けられたガイドピンのカム摺動で、ピンの掛合が外れ、クランク先端がホルダ本体に付設の調整板とのカム摺動で初期位置に戻され、回転支持アームに働くスプリングの負勢で、カッターが側端縁部より摺動引込められることを特徴とする請求項１乃至３のいずれか１項に記載のワンハンド操作によるペーパーホルダー。
【請求項５】
ホルダ本体の側端縁部及びケースの端縁部の相互部位に、ペーパー端部を挟持するロールが架設され、ケースのロールには軸部にダンパーを備え、該ダンパーによってホルダ本体のロールへの押接をさせ、ケースに投入抱持されるペーパーロールの向きが正逆のいずれにも適用されるようにすると共に、ペーパーを切断の際、挟持固定することを特徴とする請求項１乃至４のいずれか１項に記載のワンハンド操作によるペーパーホルダー。
【請求項６】
ケースの側壁に形成された２個のピンと、該ピンを摺動させるホルダ本体の側壁に形成された、並行で、下方を末広がりに拡げた２本のガイド溝とで構成し、該ガイド溝の各々にピンが摺動され、ホルダ本体内を昇降するケースにペーパーロールが投入抱持されることを特徴とする請求項１乃至５のいずれか１項に記載のワンハンド操作によるペーパーホルダー。
【発明の詳細な説明】
【技術分野】
【０００１】  本発明は、ペーパーロールがペーパー端部摘み代の引張り方向性を考慮せずに投入抱持され、ペーパーが摘み代をワンハンドで任意量引張り出して切断され、切断された後のペーパー端部を次の引張り出しのための摘み代として残存させるワンハンド操作によるペーパーホルダーに関するものである。
【背景技術】
【０００２】  ペーパーホルダーは、ペーパーロールをそのコアで回転自在に支持し、一方片手でカッターとなるカバーを押えて、他方片手でペーパーがその端部を引張り切断されるものが一般的であった。
ところが、切断した後、ペーパーの端部がカバーに隠れてしまい、次のペーパーの繰り出し摘み代がないので、この摘み代が設けられてペーパーを引張り易くさせるために、ペーパーロール上方が覆われるカバーの下側に、該カバーの端縁より出没自在とするカッターを備えたものがある。（特許文献１）【０００３】  しかしながら、高齢者社会ともなれば、両手使用の操作は問題があり、使用便宜上、ワンハンド操作できるペーパーホルダーが望まれ、このワンハンド操作によるペーパーホルダーとして、ペーパーホルダーに設けた揺動自在のカッターでペーパーロールから繰り出されたペーパーを押え込んだ上で切断し、切断した後のペーパーの自由端を垂下させて摘み代とするものがある。（特許文献２）【０００４】  また、これらペーパーホルダーの設置には、この設置場所上に飾り棚などが付設されていたりして、ペーパーロールの交換に支障を来たすことがある。このようなときでも設置場所を選ばず、ペーパーロールの交換作業を容易にできるペーパーホルダーが考えられ、ホルダ本体内側壁に形成されたガイド溝に沿って引き出し可能なケースを設け、該ケースにペーパーロールが入れられたものである。ホルダ本体へケースを収納する際、ケースの係止突片部が、カッターと規制片とを付設し、ホルダ本体の紙切部材に噛み合わされ、ペーパーロールからの引き出し部分を規制片で挟み込み、カッターで切断するものである。（特許文献３）【０００５】
【特許文献１】  特開２００５−２８１６３
【特許文献２】  特開２００２−２８３２８０
【特許文献３】  特開２０００−２５４０３７
【発明の開示】
【発明が解決しようとする課題】
【０００６】  これら従来のペーパーホルダーは、ペーパーロール交換の折に、ペーパーロールには方向性があり、ペーパーロールの方向性を考えずに自由に投入抱持させることができなかった。そして、摘み代の引張り出し方向を選択決めしなければならなかった。
また、これら従来のペーパーホルダーは、ペーパーロール交換の際、ペーパーロールのペーパー端部を挟持切断する箇所に予め通し取付けなければならず（特許文献１，２）、面倒であった。そして、敢えず、ペーパーロール交換作業の際、自動的にペーパー端部が挟持されるものであったとしても、ペーパーを切断した後、次のペーパーの供給に備えて、ペーパーの端部を引張る摘み代が繰り出されていない（特許文献３）といった欠点があった。【０００７】  そこで、本発明は、ワンハンド操作でペーパーロールが方向性を考えずに投入抱持され、ペーパー端部の摘み代をもって任意量引張り出して切断することができ、切断した後には、次のペーパー端部を引張る摘み代が形成されるペーパーホルダーを得ることにある。
【課題を解決するための手段】
【０００８】  本発明のワンハンド操作によるペーパーホルダーは、側端縁部に摺動突出するカッターを備えたホルダ本体と、該ホルダ本体内に昇降するペーパーロールを抱持するケースとでなり、ホルダ本体の側端縁部及びケースの端縁部の相互部位には、ペーパーロールのペーパー端部を挟持するロールが架設されて、該ロールで挟持したペーパーをカッターで切断し、切断した後、カッターが摺動引込められることによってペーパー端部を摘み代として形成するものである。【０００９】  本発明のワンハンド操作によるペーパーホルダーは、ホルダ本体には、側端縁部に摺動突出するカッターが備えられ、ペーパー端部の摘み代を引張るとペーパーを挟持しているロールが回転し、カッターを摺動突出し、ペーパーが切断されると、カッターを自動的に引込める自動摺動突出引込み機構が具備されているものである。【００１０】  本発明のワンハンド操作によるペーパーホルダーのカッターは、回転支持アームと、該回転支持アームにヒンジ結合した刃部と、該刃部をホルダ本体の側端縁部より引込めるように負勢する回転支持アームに付設したスプリングとでなり、ペーパーの摘み代が引張られることによってロールを回転し、自動摺動突出引込み機構を介して、刃部がホルダ本体の側端縁部より突出し伸びて、ホルダ本体に設けられた突部に、刃部に形成した爪が係合し、ペーパーの切断で刃部がヒンジをして起こし上げられると、突部と爪との係合が外れると共に、刃部に設けた突起を側端縁部に係合し、ペーパーが切り離されると、スプリングの作用で刃部をホルダ本体の側端縁部より引込めるものである。【００１１】  本発明のワンハンド操作によるペーパーホルダーの自動摺動突出引込み機構は、ホルダ本体に架設のロールが、ペーパーの摘み代を引張ることによって回転され、この回転で駆動する、ギヤを介して設けられるクランク機構と、該クランク機構のクランク先端に形成されるカム機構とで構成し、該クランク機構によってカッターの回転支持アームがそれに付設されているピンのクランク先端との掛合でカッターをホルダ本体の側端縁部より摺動突出し、カム機構による回転支持アームに設けられたガイドピンのカム摺動でピンの掛合が外れ、クランク先端がホルダ本体に付設の調整板にカム摺動して初期位置に戻され、回転支持アームに働くスプリングの負勢でカッターが側端縁部より摺動引込められるものである。【００１２】  本発明のワンハンド操作によるペーパーホルダーは、ホルダ本体の側端縁部及びケースの端縁部の相互部位には、ペーパー端部を挟持するロールが架設され、ケースのロールには軸にダンパーを備え、該ダンパーによってホルダ本体のロールへの押設をさせ、ケースに投入抱持されるペーパーロールの向きが正逆のいずれにも適用されるようにすると共に、ペーパーを切断の際に、挟持固定するものである。【００１３】  本発明のワンハンド操作によるペーパーホルダーは、ケースの側壁に形成された２個のピンと、該ピンを摺動させるホルダ本体の側壁に形成された並行で、下方を末広がりに拡げたガイド溝とで構成し、該ガイド溝の各々にピンが摺動され、ホルダ本体内を昇降するケースにペーパーロールが投入抱持されるものである。
【発明の効果】
【００１４】  本発明のワンハンド操作によるペーパーホルダーによれば、ペーパーホルダーは、ホルダ本体と、該ホルダ本体内に昇降するケースとでなり、ホルダ本体の側端縁部及びケースの端縁部の相互部位にペーパー端部を挟持するロールが架設されている形態なので、ペーパーロールを容易にケースに投入抱持させることができ、且つペーパーロールの正逆の方向性を考えずにできる。
また、ホルダ本体の側端縁部に摺動突出するカッターを備え、ペーパーが、この側端縁部より突出したカッターで切断され、そして、切断されると、カッターを側端縁部より摺動引込めるので、側端縁部には、切断後のペーパー端部が残り、次のペーパーを引張る摘み代を容易に形成することができる。【００１５】  そして、本発明のペーパーホルダーは、ペーパー端部の摘み代を引張ると、ペーパーを挟持するロールが回転され、この回転でカッターが摺動突出され、ペーパーを容易に切断し、切断されるとカッターを自動的に引込める自動摺動突出引込み機構を備えているので、この複雑な作動が、極スムーズに行なわれ、しかも、この機構は、クランク機構及びカム機構を取り入れることによって、機構の簡単化ができ、容易且つ正確な作動をすることができる。【００１６】  また、本発明のペーパーホルダーのカッターは、回転支持アームと、該回転支持アームにヒンジ結合した刃部と、該刃部をホルダ本体の側端縁部より引込めるように負勢するスプリングとでなるので、ペーパーを確実に切断することができ、且つ摘み代を次の切断のために、いとも簡単、容易に引張り、突出させることができる。【００１７】  また、本発明のペーパーホルダーは、ケースのロールには、軸にダンパーを備え、該ダンパーによってホルダ本体のロールへの押接が確実にされるので、ペーパーの切断の際の挟持固定を確実にでき、切断を仕損じなくできる。【００１８】  なおまた、本発明のペーパーホルダーは、ケースの側壁に形成された２個のピンが、ホルダ本体の側壁に形成された並行で、下方を末広がりに拡げたガイド溝に摺動し、ケースをホルダ本体内に収納できるようにしたので、ペーパーロールの方向性を考えずに投入抱持が容易、且つ確実にでき、ペーパーロールの交換も容易、且つ確実にできるものである。
【発明を実施するための形態】
【００１９】  本発明のワンハンド操作によるペーパーホルダーは、ホルダ本体内を昇降するケースにペーパーロールを投入抱持させ、ホルダ本体の側端縁部及びケースの端縁部の相互部位に架設されたロールにペーパーロールのペーパーが挟持され、ペーパーの端部が引張られることによってロールを回転し、この回転によってペーパーが適宜量繰り出されると、ホルダ本体の側端縁部よりカッターを突出し、このカッターの刃部の突出により引張られるペーパーは切断される。このペーパーの切断がされると、刃部はホルダ本体の側端縁部に引込み、ペーパーの端部をホルダ本体の側端縁部の外に残存させる。この残存したペーパー端部は、次回のペーパーを引張るための摘み代となる。
【００２０】  ワンハンド操作によるペーパーホルダーは、図１、図２に基いて説明すると、ホルダ本体１と、該ホルダ本体１内に昇降するケース２とでなり、該ケースの側壁には２個のピン２１が形成され、ホルダ本体１の側壁には、この２個のピン２１を摺動させる２本のガイド溝１１が形成されている。２本のガイド溝１１は並行で、下方を末広がりに拡げている。
ホルダ本体１頂部に設けられたロック釦１３を押すと、ケース２をロック穴２３で掛止していたロックが外れて、ケース２は、それに形成された２個のピン２１がホルダ本体１に形成されたガイド溝１１を摺動下降する。ガイド溝１１の並行状態では、Ａの位置からＢの位置に進行し、ガイド溝１１の末広がり状に拡がった状態では、Ｂの位置からＣの位置に移行し、Ｃの位置では、ケース２が傾いて開口を大きくして、ペーパーロール３の投入をし易くする。
そこで、ケース２を下から押し上げると、ホルダ本体のガイド溝１１をケース２のピン２１が摺動して上昇し、ケース２をロック釦１３によってホルダ本体に掛止ロックする。
【００２１】  そして、ペーパーロール３がケース２に投入される折には、ペーパーロール３の摘み代として引き出されたペーパー３２端部をケース２の端縁部２４部位に形成されるロール２２上に乗せ、ケース２がホルダ本体１内に上昇され、ケース２に形成されているロック穴２３をロック釦１３に掛止すると、ホルダ本体１の側端縁部１４部位に形成されたロール１２とでペーパー３２が挟持されることになり、ペーパー３２端部がホルダ本体の側端縁部１４、及びケースの端縁部２４より突出される。
【００２２】  ホルダ本体１には、図３、図４、図５、図６、そして図７に示す如く、カッター４が側端縁部１４より摺動突出され、引込むように設けられている。
カッター４は、回転支持アーム４１と、該回転支持アームにヒンジ４２結合された刃部４３と、該刃部をホルダ本体１の側端縁部１４より引込むように回転支持アーム４１がホルダ本体１へ負勢固定されたスプリング４４とでなっている。
刃部４３には、裏面先端に爪４５を、表面中央に突起４６を、そして裏面後端にストッパー片４７を具備し、回転支持アーム４１には、刃部４３の廻り止め片４８が設けられている。
【００２３】  ペーパー端部の摘み代３１を引張ると、ホルダ本体１の側端縁部１４部位に形成されているロール１２に、ケース２の端縁部２４部位に形成されているロール２２を押接し、ペーパー３２が挟持されているので、相互のロール１２、２２は回転する。この回転によって、自動摺動突出引込み機構５による回転支持アーム４１がホルダ本体１の側壁に形成された溝孔１５に沿って回動する。この回動によって、回転支持アーム４１にヒンジ４２結合した刃部４３は、ホルダ本体１の側端縁部１４より突出し、側端縁部１４より突出した刃部４３は、図５の如く、爪４５がホルダ本体１側壁に形成された突部１６と係止され、摘み代３１の引張りを止めても、刃部４３の動きが係留停止されている。
そこで、ペーパー３２の切断のために摘み代３１を手前に引くと、刃部４３が、ヒンジ４２で起し上げられ、爪４５の係止が外れると共に、図６の如く、即、突起４６が側端縁部１４に係止される。この状態で、摘み代３１を更に引くと、ペーパー３２が切り離される。ペーパー３２が切り離され、ペーパー３２を引かなくなると、突起４６と側端縁部１４との係止が外れ、図７の如く、刃部４３は、スプリング４４の負勢で側端縁部１４より引込むことになる。そして、ペーパー３２を切断した状態で、側端縁部１４より刃部４３が引込められるので、ペーパー端部を次回の摘み代として残存することになる。
【００２４】  ペーパー端部は、ホルダ本体１の側端縁部１４部位に架設のロール１２と、ケース２の端縁部２４部位に架設のロール２２とで挟持され、ホルダ本体１に架設のロール１２には、この回転がギヤ５１を介して伝達される自動摺動突出引込み機構５を備え、ケース２に架設のロール２２には、その軸部にダンパー２２１が備えられ、該ダンパーによって、ケース２架設のロール２２をホルダ本体１架設のロール１２に押接させ、ペーパー３２が滑らないように挟持させている。
よって、ペーパーロール３の向きが正逆のいずれにも適用されるようになると共に、ペーパーを切断の際には、挟持固定することができるものである。
【００２５】  ホルダ本体１の外側壁には、図８、図９、図１０、そして図１１のごとく、自動摺動突出引込み機構５が設けられている。
自動摺動突出引込み機構５は、ホルダ本体１に架設のロール１２が、ペーパーの摘み代３１を引張ることによって回転され、この回転でギヤ５１を介して駆動するクランク機構５２と、このクランク機構のクランク駆動をするクランク５３と、該クランクの先端に形成されるカム機構５５とで構成している。
【００２６】  ホルダ本体１に架設のロール１２の回転速度がギヤ５１によって減速され、図９、及び図１０の如く、該ギヤに軸接するクランク機構５２がクランク５３を回動することによって、その先端のフック部５３１で、カッター４の回転支持アーム４１に付設のピン４１１を引き寄せ、カッター４の刃部４３をホルダ本体の側端縁部１４より突出させる。そして、フック部５３１でピン４１１が引き寄せられると、回転支持アーム４１とホルダ本体１と間に固定したスプリング４４が働いて、回転支持アーム４４の回動は負勢される。
【００２７】  クランク機構５２は回動され、これにフック部５３１とピン４１１で掛合されている回転支持アーム４１が溝孔１５を摺動し、溝孔１５の端部に至ってもクランク機構５２が回動し続けられると（図１０）、クランク５３の先端のフック部５３１は、クランク５３の外側端が回転支持アーム４１に付設のガイドピン４１２を摺動すると共にピン４１１が外されることになる。そして、このときは、カッター４の刃部４３がその爪４５をホルダ本体１の突部１６に係止し、停止されている状態となる。
更に、クランク機構５２が回転されると、図１１の如く、クランク５３の先端は調整板５４をカム摺動し、クランク５３を初期の位置に戻すことになる。
また、ペーパーが切断されると、回転支持アーム４１もスプリング４４の負勢によって初期の位置に戻されることになる。
なお、図中、５１１は、ギヤカバーであり、１１１は、自動摺動突出引込み機構５を被蓋するカバーである。
【図面の簡単な説明】
【００２８】
【図１】  ワンハンド操作によるペーパーホルダーのホルダ本体とケースとの関係側面図である。
【図２】  ホルダ本体とケースとの関係正面図である。
【図３】  ホルダ本体とカッターとの関係正面図である。
【図４】  カッターの正面図である。
【図５】  カッターの動きを説明する突出状態図である。
【図６】  カッターの動きを説明するペーパー切断状態図である。
【図７】  カッターの動きを説明する引込み状態図である。
【図８】  自動摺動突出引込み機構のカッター引込みの初期状態図である。
【図９】  自動摺動突出引込み機構のカッターの突出過程状態図である。
【図１０】  自動摺動突出引込み機構のカッター突出状態図である。
【図１１】  自動摺動突出引込み機構のペーパー切断時状態図である。
【符号の説明】
【００２９】１        ホルダ本体
１１      ガイド溝
１１１    カバー
１２      ロール
１３      ロック釦
１４      側端縁部
１５      溝孔
１６      突部
２        ケース
２１      ピン
２２      ロール
２２１    ダンパー
２３      ロック穴
２４      端縁部
３        ペーパーロール
３１      摘み代
３２      ペーパー
４        カッター
４１      回転支持アーム
４１１    ピン
４１２    ガイドピン
４２      ヒンジ
４３      刃部
４４      スプリング
４５      爪
４６      突起
４７      ストッパー片
４８      廻り止め片
５        自動摺動突出引込み機構
５１      ギヤ
５１１    ギヤカバー
５２      クランク機構
５３      クランク
５３１    フック部
５４      調整板
５５      カム機構
【図１】
2008220899.tif 000003
【図２】
2008220899.tif 000004
【図３】
2008220899.tif 000005
【図４】
2008220899.tif 000006
【図５】
2008220899.tif 000007
【図６】
2008220899.tif 000008
【図７】
2008220899.tif 000009
【図８】
2008220899.tif 000010
【図９】
2008220899.tif 000011
【図１０】
2008220899.tif 000012
【図１１】
2008220899.tif 000013